【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、
参照レイヤ（ＲＬ）およびエンハンスメントレイヤ（ＥＬ）に関連付けられたビデオ情報を記憶するように構成されたメモリユニット、前記ＲＬは、第１のアクセスユニット中にＲＬピクチャを有し、前記ＥＬは、前記第１のアクセスユニット中に第１のＥＬピクチャを有し、コーディング順序における前記第１のＥＬピクチャの直前にある第２のＥＬピクチャは、パラメータの第１のセットと関連付けられる、と、
前記メモリユニットと通信するプロセッサと
を備え、前記プロセッサは、
前記第１のＥＬピクチャがイントラランダムアクセスポイント（ＩＲＡＰ）ピクチャであるかどうかを決定することと、
前記第１のアクセスユニットが、第１のビデオ情報が前記第１のＥＬピクチャを含む第２のビデオ情報と接合される接合ポイントの直後にくるかどうかを決定することと、
（１）前記第１のＥＬピクチャがＩＲＡＰピクチャでなく、前記第１のアクセスユニットが接合ポイントの直後にこないとの決定に基づいて、前記パラメータの第１のセットと異なるパラメータの第２のセットと前記第１のＥＬピクチャを関連付けることを控えること、または（２）前記第１のＥＬピクチャがＩＲＡＰピクチャでなく、前記第１のアクセスユニットが接合ポイントの直後にくるとの決定に基づいて、前記パラメータの第１のセットと異なるパラメータの第２のセットと前記第１のＥＬピクチャを関連付けること、のうちの１つを実行することと
を行うように構成される、装置。
【請求項２】
前記プロセッサは、
前記第１のＥＬピクチャがＩＲＡＰピクチャであると示されるかどうかを決定することと、
（１）ビットストリーム中に含まれる、または（２）前記ビットストリーム中に含まれる情報に基づいて導出される、シンタックス要素またはフラグの値が所定の値に等しいかどうかを決定することと
に少なくとも部分的によって、前記第１のＥＬピクチャがＩＲＡＰピクチャであるかどうかを決定することを行うように構成される、
請求項１に記載の装置。
【請求項３】
前記プロセッサは、（１）ビットストリーム中に含まれる、または（２）前記ビットストリーム中に含まれる情報に基づいて導出される、シンタックス要素またはフラグの値が所定の値に等しいかどうかを決定することに少なくとも部分的によって、前記第１のアクセスユニットが接合ポイントの直後にくるかどうかを決定するように構成される、
請求項１に記載の装置。
【請求項４】
前記プロセッサは、
前記第１のＥＬピクチャがＩＲＡＰピクチャでなく、前記第１のアクセスユニットが接合ポイントの直後にこないと決定することに応じて、前記ＥＬを、少なくとも前記ＥＬにおける次の接合ポイントまで前記パラメータの第１のセットと関連付けられたままにすること
を行うようにさらに構成される、請求項１に記載の装置。
【請求項５】
前記プロセッサは、
前記第１のＥＬピクチャがＩＲＡＰピクチャであるとの決定に基づいて、前記第１のＥＬピクチャを、前記パラメータの第２のセットと関連付けられるようにすることを行うようにさらに構成される、
請求項１に記載の装置。
【請求項６】
前記プロセッサは、
前記ＥＬを、少なくとも前記ＥＬにおける次のＩＲＡＰピクチャが処理されるまで前記パラメータの第１のセットと関連付けられたままにすること
に少なくとも部分的によって、前記パラメータの第２のセットと前記第１のＥＬピクチャを関連付けることを控えることを行うように構成される、
請求項１に記載の装置。
【請求項７】
前記プロセッサは、前記第１のＥＬピクチャと関連付けられるヘッダ情報を処理することに少なくとも部分的によって、前記第１のＥＬピクチャがＩＲＡＰピクチャであるかどうかを決定することを行うように構成される、
請求項１に記載の装置。
【請求項８】
前記プロセッサは、前記第１のＥＬピクチャがＩＲＡＰピクチャかどうかを示すシンタックス要素またはフラグを処理することに少なくとも部分的によって、前記第１のＥＬピクチャがＩＲＡＰピクチャであるかどうかを決定することを行うように構成される、
請求項１に記載の装置。
【請求項９】
前記ＲＬピクチャは、前記パラメータの第１のセットに関連付けられ、前記プロセッサは、前記ＲＬを、コード化ビデオシーケンス全体に関して前記パラメータの第１のセットに関連付けられたままにすることを行うようにさらに構成される、
請求項１に記載の装置。
【請求項１０】
前記装置は、符号化器または復号器のうちの少なくとも１つを備え、前記プロセッサは、ビットストリーム中の前記ビデオ情報を符号化することまたは復号することのうちの少なくとも１つを行うようにさらに構成される、
請求項１に記載の装置。
【請求項１１】
前記装置は、
コンピュータ、ノートブック、ラップトップコンピュータ、タブレットコンピュータ、セットトップボックス、電話ハンドセット、スマートフォン、スマートパッド、テレビジョン、カメラ、ディスプレイデバイス、デジタルメディアプレーヤ、ビデオゲームコンソール、および車載コンピュータからなるグループの中から選択されるデバイスを備える、
請求項１に記載の装置。
【請求項１２】
ビデオ情報を符号化する方法であって、
エンハンストメントレイヤ（ＥＬ）の第１のアクセスユニット中の第１のＥＬピクチャがイントラランダムアクセスポイント（ＩＲＡＰ）ピクチャであるかどうかを決定すること、コーディング順序において、前記第１のＥＬピクチャの直前にある第２のＥＬピクチャは、パラメータの第１のセットと関連付けられる、と、
前記第１のアクセスユニットが、第１のビデオ情報が前記第１のＥＬピクチャを含む第２のビデオ情報と接合される接合ポイントの直後にくるかどうかを決定することと、
（１）前記第１のＥＬピクチャがＩＲＡＰピクチャでなく、前記第１のアクセスユニットが接合ポイントの直後にこないとの決定に基づいて、前記パラメータの第１のセットと異なるパラメータの第２のセットと前記第１のＥＬピクチャを関連付けることを控えること、または（２）前記第１のＥＬピクチャがＩＲＡＰピクチャでなく、前記第１のアクセスユニットが接合ポイントの直後にくるとの決定に基づいて、前記パラメータの第１のセットと異なるパラメータの第２のセットと前記第１のＥＬピクチャを関連付けること、のうちの１つを実行することと
を備える、方法。
【請求項１３】
前記第１のＥＬピクチャがＩＲＡＰピクチャであるかどうかを決定することは、
前記第１のＥＬピクチャがＩＲＡＰピクチャであると示されるかどうかを決定することと、
（１）ビットストリーム中に含まれる、または（２）前記ビットストリーム中に含まれる情報に基づいて導出される、シンタックス要素またはフラグの値が所定の値に等しいかどうかを決定することと
を少なくとも備える、請求項１２に記載の方法。
【請求項１４】
前記第１のアクセスユニットが接合ポイントの直後にくるかどうかを決定することは、（１）ビットストリーム中に含まれる、または（２）前記ビットストリーム中に含まれる情報に基づいて導出される、シンタックス要素またはフラグの値が所定の値に等しいかどうかを決定することを少なくとも備える、
請求項１２に記載の方法。
【請求項１５】
実行されると、装置に、請求項１２乃至１４のいずれか１項に記載の方法を請け負わせるコードを備える、
非一時的コンピュータ可読媒体。